(57)【要約】【課題】  設定されている諸条件の変更が適切であったか不適切であったかを容易に判断することができる生産ライン構成装置を提供する。【解決手段】  生産ライン構成装置の一例である半自動式組合せ秤は、操作設定表示部２１ａは、操作者を特定する操作者画像を撮像するデジタルカメラ２３と、操作の種類に操作者画像を関連付けた操作記録情報を生成する操作記録生成部２４ｂとを備えている。操作設定表示制御部２４ａは、タッチパネル部２２が操作されたときに、デジタルカメラ２３に操作者画像を撮像させ、この操作者画像を含む操作記録情報を生成させて操作設定表示記憶部２５の操作ログ記憶領域２５ａに記憶させることで、操作ログを生成する。【選択図】  図３
2011090446.tif 000002
【特許請求の範囲】
【請求項１】
生産ラインの一部を構成し、当該生産ラインに含まれる処理を行う処理部と、
操作者により操作される操作部と、
操作者を特定する操作者情報を生成する操作者情報生成部と、
前記操作者情報を、当該操作者情報で特定される操作者が行った操作の種類に関連付けることで、操作記録情報を生成する操作記録生成部と、
前記操作記録情報を蓄積して操作ログとして記憶する操作ログ記憶部と、を備えている、生産ライン構成装置。
【請求項２】
制御部をさらに備え、
前記制御部は、前記操作者情報生成部に前記操作者情報を生成させてから、前記操作記録生成部に前記操作記録情報を生成させ、前記操作ログ記憶部に記憶させるよう構成されている、請求項１に記載の生産ライン構成装置。
【請求項３】
前記操作者情報生成部が、前記操作者を撮像する撮像部であり、前記操作者の画像を前記操作者情報として生成し、
前記制御部は、前記操作部の操作と同時に、前記撮像部により前記操作者を撮像させるよう構成されている、請求項１または２に記載の生産ライン構成装置。
【請求項４】
暦情報を生成する暦情報生成部をさらに備え、
前記操作記録生成部は、前記操作の種類に対して、前記暦情報をさらに関連付けることで、前記操作記録情報を生成するよう構成されている、請求項１から３のいずれか１項に記載の生産ライン構成装置。
【請求項５】
前記操作部は、表示器を含むとともに、
前記操作部で行われる操作には、前記操作ログ記憶部に記憶されている前記操作記録情報を前記表示器で表示するための操作記録表示操作が含まれ、
前記制御部は、前記操作部により前記操作記録表示操作が行われたときには、前記操作ログ記憶部から前記操作記録情報を取得し、前記表示器に前記操作記録情報を表示させるよう構成されている、請求項１から４のいずれか１項に記載の生産ライン構成装置。
【請求項６】
前記制御部は、前記操作記録情報を、時系列または前記操作の種類別に配列した操作記録表に編集して前記表示器に表示させるよう構成されている、請求項５に記載の生産ライン構成装置。
【請求項７】
前記撮像部で生成された前記操作者の画像を基本画像としたときに、前記表示器に表示される前記操作記録表には、前記操作の種類毎に対応する前記基本画像を縮小したサムネイル画像が含まれ、
前記操作部で行われる操作には、前記サムネイル画像を基本画像に変更して表示するための画像拡大操作が含まれ、
前記制御部は、前記操作部により前記画像拡大操作が行われたときには、前記操作記録表のうち、少なくとも前記操作の種類以外の表示を前記基本画像に差し替えて前記表示器に表示させるよう構成されている、請求項６に記載の生産ライン構成装置。
【請求項８】
前記操作部で行われた操作が、前記処理部に予め設定されている条件を変更する設定変更操作であるか否かを判定する設定変更判定部をさらに備え、
前記制御部は、前記設定変更判定部により前記設定変更操作が行われたと判定されたときに、前記操作者情報生成部に前記操作者情報を生成させるよう構成されている、請求項１から７のいずれか１項に記載の生産ライン構成装置。
【請求項９】
前記操作部は、少なくとも文字情報を入力可能とする文字入力器を含み、
前記制御部は、前記操作部の操作前に、前記操作者情報として、前記操作者を特定する文字情報を前記文字入力器に入力させるよう構成され、
前記操作記録生成部は、前記操作の種類に対して、入力された前記文字情報をさらに関連付けることで、前記操作記録情報を生成するよう構成されている、請求項１から８のいずれか１項に記載の生産ライン構成装置。
【請求項１０】
前記生産ラインが、被計量物を計量および包装する処理を含む計量包装ラインであり、
前記処理部が、被計量物を供給する供給処理、被計量物を計量する計量処理、計量された被計量物を包装する包装処理、包装された被計量物を重量別に選別する選別処理、包装された被計量物を検査する検査処理、および、包装された被計量物を箱詰めする箱詰処理の少なくともいずれかを行うよう構成されている、請求項１から９のいずれか１項に記載の生産ライン構成装置。
【発明の詳細な説明】
【技術分野】
【０００１】
本発明は、生産ラインの一部を構成する生産ライン構成装置に関し、例えば、物品を計量し、包装し、検査し、および箱詰めする生産ラインの少なくとも一部を構成する生産ライン構成装置に関する。
【背景技術】
【０００２】
製品の大量生産に用いられる生産ラインは、一般に、複数の生産ライン構成装置から構成されている。生産ラインの一例として、食品、農水産物等の被計量物を所定の重量範囲内で包装し、その包装物を箱詰めする生産ライン（説明の便宜上、「計量包装生産ライン」と称する。）を挙げれば、当該計量包装生産ラインを構成する生産ライン構成装置には、被計量物の供給装置、被計量物を計量する組合せ秤または組合せ計量装置、所定重量の被計量物を包装する包装装置、異物等の混入を検査する各種検査装置、包装物を箱詰めする箱詰装置、これらをつなぐ搬送コンベヤ装置等が含まれる。
【０００３】
上記生産ライン構成装置に関しては、操作の利便性の向上を図る技術が提案されている。例えば、特許文献１には、食品処理装置において、オペレータの伝言や覚え書きのためのメモ用紙の撤廃を図るために、メモ情報を記憶し、表示手段としても機能する操作部に、メモ情報を表示させるよう制御する技術が開示されている。この技術では、それぞれのオペレータに作業パスワードが付されており、この作業パスワードをオペレータが入力することで、操作レベルに合わせた設定が行われる構成も開示されている。具体的には、作業パスワードを入力することで、オペレータの属する操作レベルに応じてキー操作の操作可能範囲が設定されたり、操作レベルに特化して表示されたメモ情報を閲覧できたりする構成が開示されている。
【０００４】
また、上記メモ情報が入力されて記憶されるに伴い、メモ情報を入力した時刻、オペレータの作業者コード及び作業パスワード等も自動的に記憶され、メモ情報にこれら付随情報が関連付けられる。そして、閲覧時には、これら付随情報も自動的に表示されるので、オペレータは、このメモ情報の入力者が誰であるか、等を認識することができる。
【先行技術文献】
【特許文献】
【０００５】
【特許文献１】特開２００４−００４０３５号公報
【発明の概要】
【発明が解決しようとする課題】
【０００６】
ところで、前記生産ライン構成装置においては、生産の対象となる製品の種類または仕様等の条件が変更されれば、当該生産ライン構成装置に設定されている動作条件についても、必要に応じて変更されることになる。例えば、上記計量包装生産ラインであれば、被計量物の種類が変更されれば、供給装置に設定されている被計量物の供給条件、組合せ秤に設定されている組合せ計量動作に関する諸条件、包装装置で用いられる包装材の変更に伴う包装動作に関する諸条件等を、必要に応じて変更することになる。
【０００７】
しかしながら、上記生産ライン構成装置の操作に慣れていない作業者が、当該生産ライン構成装置に設定されている諸条件を変更すると、適切な条件変更がなされずに当該生産ライン構成装置が正常に動作しないという事態が発生することがある。上記計量包装生産ラインであれば、当該生産ラインを構成するいずれか１台の生産ライン構成装置が正常に動作しなくなるだけでも、当該生産ライン全体が停止してしまう。
【０００８】
しかも、上記生産ライン構成装置が正常に動作しない原因としては、作業者による不適切な条件変更だけでなく、当該生産ライン構成装置そのものに何らかの問題が生じていることもある。例えば、生産ライン構成装置にインストールされているソフトウエアにバグが含まれている場合には、当該生産ライン構成装置は正常に動作することができない。
【０００９】
したがって、生産ライン構成装置が正常に動作しないときには、当該生産ライン構成装置そのものに問題が生じているのか、当該生産ライン構成装置には問題はないが設定変更が不適切であったのかを見極めることが必要となる。ところが、従来の生産ライン構成装置では、このような見極めを行うことに関しては何ら考慮されていなかった。そのため、不適切な設定変更が行われているだけであれば、変更された条件を再設定するだけで問題を解決できるにもかかわらず、製造者または保守点検者は、長い時間を掛けて煩雑な解析処理を行う必要があった。
【００１０】
ここで、特許文献１に開示の技術では、作業者により入力されて記憶されたメモ情報が表示されるので、異なる作業者同士だけでなく、作業者以外の者、例えば、上記製造者または保守点検者にも、生産ライン構成装置の運転に関するさまざまな情報を共有することができる。しかしながら、このような運転上の情報を供給するだけでは、不適切な設定変更が行われたか否かを見極めることはできない。
【００１１】
本発明はこのような課題を解決するためになされたものであって、設定されている諸条件の変更が適切であったか不適切であったかを容易に判断することができる生産ライン構成装置を提供することを目的とする。
【課題を解決するための手段】
【００１２】
本発明に係る生産ライン構成装置は、前記の課題を解決するために、生産ラインの一部を構成し、当該生産ラインに含まれる処理を行う処理部と、操作者により操作される操作部と、操作者を特定する操作者情報を生成する操作者情報生成部と、前記操作者情報を、当該操作者情報で特定される操作者が行った操作の種類に関連付けることで、操作記録情報を生成する操作記録生成部と、前記操作記録情報を蓄積して操作ログとして記憶する操作ログ記憶部とを備えている構成である。
【００１３】
前記構成によれば、操作者情報とこれに関連付けられた操作記録情報とが操作ログとして記録されることになる。それゆえ、例えば、生産ライン構成装置が正常に動作しないという事態が発生し、この事態の原因の一つとして、設定されている諸条件の変更が想定されれば、操作ログを確認することで条件の設定値が変更されたか否かが明らかとなるだけでなく、変更されている場合には、変更した操作者を特定し、当該操作者に変更の目的、理由、変更操作の手順等の変更操作状況を確認することができるので、これら変更操作状況を把握することで、前記事態の解決および防止に役立てることができる。
【００１４】
前記生産ライン構成装置においては、制御部をさらに備え、前記制御部は、前記操作者情報生成部に前記操作者情報を生成させてから、前記操作記録生成部に前記操作記録情報を生成させ、前記操作ログ記憶部に記憶させる構成であると好ましい。
【００１５】
前記構成によれば、毎回の操作で、先に操作者情報を生成した上で、操作記録情報を生成するので、操作部が操作されることにより、常に操作者情報を含む操作記録情報が生成され、これを蓄積することで操作ログを生成することになる。つまり、操作者が操作部を操作したときの記録に、操作者を特定する操作者情報が含まれており、この記録（操作記録情報）が操作ログとして蓄積されることになる。それゆえ、事前に操作者を登録する必要がなく、操作ログを確認することで操作者を特定することが可能となるので、生産ライン構成装置が正常に動作しないという事態が発生したときでも、前記事態の解決および防止に役立てることができる。
【００１６】
前記生産ライン構成装置においては、前記操作者情報としてどのような情報が用いられてもよいが、例えば、前記操作者情報生成部が、前記操作者を撮像する撮像部であり、前記操作者の画像を前記操作者情報として生成し、前記制御部は、前記操作部の操作と同時に、前記撮像部により前記操作者を撮像させる構成を好ましい一例として挙げることができる。
【００１７】
前記構成によれば、撮像部により操作者画像を生成して操作記録情報に含めることにより、画像情報として操作者が誰であるのかを確認できるので、操作ログの確認時に、操作者の特定をより容易に行うことができる。
【００１８】
前記生産ライン構成装置においては、前記構成に加えて、暦情報を生成する暦情報生成部をさらに備え、前記操作記録生成部は、前記操作の種類に対して、前記暦情報をさらに関連付けることで、前記操作記録情報を生成するよう構成されていることが好ましい。
【００１９】
前記構成によれば、操作記録情報が暦情報、すなわち、操作部が操作された年月日および時間等を含むことになるため、操作ログから特定の操作記録情報を時間基準で検索したり時系列で確認したりすることができる。
【００２０】
前記生産ライン構成装置においては、前記操作部の構成は特に限定されないが、例えば、前記操作部は、表示器を含むとともに、前記操作部で行われる操作には、前記操作ログ記憶部に記憶されている前記操作記録情報を前記表示器で表示するための操作記録表示操作が含まれ、前記制御部は、前記操作部により前記操作記録表示操作が行われたときには、前記操作ログ記憶部から前記操作記録情報を取得し、前記表示器に前記操作記録情報を表示させるよう構成されていることが好ましい。
【００２１】
前記構成によれば、蓄積された操作ログを操作部の表示器で表示させるので、操作を行いながら操作ログを確認することができる。
【００２２】
ここで、前記表示器への操作ログの表示形式は特に限定されないが、例えば、前記制御部は、前記操作記録情報を、時系列または前記操作の種類別に配列した操作記録表に編集して前記表示器に表示させる構成であると好ましい。操作ログを操作記録表に編集して表示することで、操作ログを確認するときに、目的に応じて確認したい操作記録情報を分かりやすく表示することができる。
【００２３】
さらに、前記構成においては、前記撮像部で生成された前記操作者の画像を基本画像としたときに、前記表示器に表示される前記操作記録表には、前記操作の種類毎に対応する前記基本画像を縮小したサムネイル画像が含まれ、前記操作部で行われる操作には、前記サムネイル画像を基本画像に変更して表示するための画像拡大操作が含まれ、前記制御部は、前記操作部により前記画像拡大操作が行われたときには、前記操作記録表のうち、少なくとも前記操作の種類以外の表示を前記基本画像に差し替えて前記表示器に表示させるよう構成されていることが、より好ましい。
【００２４】
前記構成によれば、操作記録表に操作者情報としての操作者画像が小さな表示面積のサムネイル画像として含まれており、しかも、当該サムネイル画像を拡大して基本画像に戻して表示することができる。それゆえ、操作ログ全体を確認するときにはサムネイル画像で操作者情報を認識できるとともに、特定の操作記録情報の操作者を確認したいときには、サムネイル画像を基本画像に拡大することで、より一層操作者を特定しやすくすることができる。
【００２５】
前記生産ライン構成装置においては、前記構成に加えて、前記操作部で行われた操作が、前記処理部に予め設定されている条件を変更する設定変更操作であるか否かを判定する設定変更判定部をさらに備え、前記制御部は、前記設定変更判定部により前記設定変更操作が行われたと判定されたときに、前記操作者情報生成部に前記操作者情報を生成させるよう構成されていることが好ましい。
【００２６】
前記構成によれば、操作部で行われた全ての操作について操作記録情報を生成するのではなく、設定変更操作という、生産ライン構成装置の動作に影響を及ぼしやすい操作のみについて操作記録情報を生成するので、操作ログ全体のデータ量が小さくなり、かつ、操作ログで確認すべき操作記録情報の数も減少するので、操作ログをより簡素かつ効率的に確認することができる。
【００２７】
前記生産ライン構成装置においては、前記構成に加えて、前記操作部は、少なくとも文字情報を入力可能とする文字入力器を含み、前記制御部は、前記操作部の操作前に、前記操作者情報として、前記操作者を特定する文字情報を前記文字入力器に入力させるよう構成され、前記操作記録生成部は、前記操作の種類に対して、入力された前記文字情報をさらに関連付けることで、前記操作記録情報を生成するよう構成されてもよい。
【００２８】
前記構成によれば、文字情報を操作者情報として用いることができるので、必要に応じて、前述した撮像部を省略することができるだけでなく、撮像部と組み合わせることで、操作者情報の充実化を図ることができるので、例えば、文字情報を基準として操作ログを検索することで、特定条件の操作記録情報を抽出しやすくすることもできる。
【００２９】
本発明が適用可能な生産ラインは特に限定されるものではなく、公知の生産ラインに広く適用することができるが、具体的な好ましい一例として、被計量物を計量および包装する処理を含む計量包装ラインを挙げることができる。この計量包装ラインを構成する生産ライン構成装置では、前記処理部が、被計量物を供給する供給処理、被計量物を計量する計量処理、計量された被計量物を包装する包装処理、包装された被計量物を重量別に選別する選別処理、包装された被計量物を検査する検査処理、および、包装された被計量物を箱詰めする箱詰処理の少なくともいずれかを行うものであればよい。
【発明の効果】
【００３０】
以上のように、本発明では、設定されている諸条件の変更が適切であったか不適切であったかを容易に判断することができる生産ライン構成装置を得ることができる。
【図面の簡単な説明】
【００３１】
【図１】（ａ）は、本発明の実施の形態１に係る生産ライン構成装置である半自動式組合せ秤の構成の一例について、前側から見た構成例を模式的に示す正面図であり、（ｂ）は、（ａ）に示す半自動式組合せ秤を左側から見た構成例を模式的に示す側面図である。
【図２】図１に示す半自動式組合せ秤が備える制御系統の概略構成を示すブロック図である。
【図３】図１に示す半自動式組合せ秤が備える操作設定表示部の制御系統の概略構成を示すブロック図である。
【図４】（ａ）〜（ｃ）は、それぞれ、操作設定表示部に設けられるデジタルカメラの配置を模式的に示す斜視図である。
【図５】図１に示す半自動式組合せ秤が備える操作設定表示部の表示画面のうち、運転操作画面の構成の一例を示す模式図である。
【図６】（ａ）は、図１に示す半自動式組合せ秤が備える操作設定表示部の表示画面のうち、操作ログ画面の構成の一例を示す模式図であり、（ｂ）は、（ａ）に示す操作ログ画面において、サムネイル画像を拡大した画面構成の一例を示す模式図である。
【図７】図３に示す操作設定表示部において操作ログが生成される制御の一例を示すフローチャートである。
【図８】図７のフローチャートに示す制御で生成された操作ログをタッチパネル部で表示する制御の一例を示すフローチャートである。
【図９】本発明の実施の形態２に係る半自動式組合せ秤が備える操作設定表示部の制御系統の概略構成を示すブロック図である。
【図１０】図９に示す操作設定表示部における操作ログが生成される制御の一例を示すフローチャートである。
【図１１】本発明の実施の形態３において、操作設定表示部の表示画面上にパスワード入力画面が表示される構成の一例を示す模式図である。
【図１２】図１１に示すパスワード入力画面を表示する構成の操作設定表示部において、操作ログが生成される制御の一例を示すフローチャートである。
【図１３】本発明の実施の形態４における生産ラインの一例である計量包装ラインの構成の一例を示す工程図である。
【発明を実施するための形態】
【００３２】
以下、本発明の好ましい実施の形態を、図面を参照しながら説明する。なお、以下では全ての図を通じて同一又は相当する要素には同一の参照符号を付して、その重複する説明を省略する。
【００３３】
（実施の形態１）
本発明は、生産ラインの一部を構成し、当該生産ラインに含まれる処理を行う処理部を備える生産ライン構成装置であれば、どのような構成のものにも適用できるが、本実施の形態では、生産ライン構成装置の代表的な一例として半自動式組合せ秤を挙げて、本発明を具体的に説明する。
【００３４】
［半自動式組合せ秤の基本構成］
本実施の形態に係る半自動式組合せ秤１０は、図１（ａ），（ｂ）に示すように、被計量物の組合せ計量を行う秤本体１１と、操作指令等の入力や動作状況等の表示を行う操作設定表示部２１ａと、秤本体１１から排出される被計量物を搬送する搬送コンベヤ３１と、を備えている。
【００３５】
秤本体１１は、底部１２ａおよび側部１２ｂから少なくともなる基台１２と、当該基台１２の上部で側部１２ｂから前方に引き出すように広がる天板１３と、天板１３の投入口の下部に設けられた複数の供給ホッパ１４と、各供給ホッパ１４の下方に設けられ基台１２の側部１２ｂで支持されている複数の計量ホッパ１５と、基台１２の側部１２ｂに格納され各供給ホッパ１４に収容された被計量物の重量を計量する、複数の供給ホッパ用計量センサ１６と、基台１２の側部１２ｂに格納され各計量ホッパ１５に収容された被計量物の重量を計量する、複数の計量ホッパ用計量センサ１７と、制御基板等の各種電装品を含む電装品収納盤１８と、を備えている。なお、供給ホッパ用計量センサ１６と計量ホッパ用計量センサ１７と電装品収納盤１８とは、図１（ｂ）では破線で示す。
【００３６】
側部１２ｂの左側上方の側面には支持柱３２が取付けられており、この支持柱３２によって操作設定表示部２１ａが基台１２（秤本体１１）に固定および支持されている。操作設定表示部２１ａは、運転パラメータの表示と設定、運転のＯＮ−ＯＦＦなどの操作、組合せ計量の演算結果等の表示を行う。操作設定表示部２１ａは、秤本体１１の左上側に位置するよう設けられており、本実施の形態では、表示器および操作器を兼ねている。操作設定表示部２１ａの具体的構成については後述する。
【００３７】
なお、本発明で用いられる操作器及び表示器の構成はこれに限定されず、例えば、操作設定表示部２１ａとは別に、キーボードやマウス等、パーソナルコンピュータの入力器として用いられる入力装置を操作器として備えてもよい。同様に、公知のプリンタ等の出力装置を備えてもよい。
【００３８】
供給ホッパ１４の天板１３の下面から突出する部位は２個の排出ゲート（図示せず）となっている。各排出ゲートは、その開閉方向が斜め下方でかつ互いの開閉方向が反対側（半自動式組合せ秤１０の前方側下方および後方側下方）となるように設けられており、図示されないモータ等の駆動源によって駆動され、それぞれ独立して開閉できるように構成されている。各供給ホッパ１４には、供給ホッパ用計量センサ１６がつながっており、供給ホッパ１４内に収容された被計量物の重量を検出する。供給ホッパ１４は、投入口１９から投入された被計量物を収容し、その後、排出ゲートを開放することで、計量ホッパ１５に被計量物を投入する。供給ホッパ用計量センサ１６としてはロードセルが好適に用いられるが、他の重量センサであってもよい。
【００３９】
計量ホッパ１５は、仕切りにより２個の独立した収容部１５ａ，１５ｂに分割されている。各収容部１５ａ，１５ｂは、図示されないモータ等の駆動源によって開閉駆動される計２個の排出ゲート３５ａ，３５ｂ（図２参照）を有している。各排出ゲートは、下方側にそれぞれ独立して開閉できるように構成されている。計量ホッパ１５は、供給ホッパ１４から供給された被計量物を収容し、計量ホッパ用計量センサ１７により被計量物の重量が検出され、後述する組合せ計量が行われた後に、排出ゲートを開放することで、搬送コンベヤ３１に被計量物を排出する。計量ホッパ用計量センサ１７としては、ロードセルが好適に用いられるが、他の重量センサであってもよい。
【００４０】
搬送コンベヤ３１は、計量ホッパ１５から排出された被計量物をその上に載置して、半自動式組合せ秤１０の後段に設置されている図示されない包装機（あるいは他の種類の袋詰装置）に搬送する。搬送コンベヤ３１は、基台１２に支持されており、その搬送方向が計量ホッパ１５の配列方向に沿うように、計量ホッパ１５の下方に設けられている。搬送コンベヤ３１としては、本実施の形態ではベルトコンベヤが用いられるが、被計量物の種類に応じて、例えば、ローラコンベヤ、エプロンコンベヤ、振動コンベヤ等を用いてもよい。
【００４１】
投入口１９、供給ホッパ１４、計量ホッパ１５、供給ホッパ用計量センサ１６、および計量ホッパ用計量センサ１７は、これらで一組の供給計量部となっており、半自動式組合せ秤１０は計量供給部を９組備えている。半自動式組合せ秤１０を、組合せ計量処理を行う生産ライン構成装置として見れば、前記供給計量部が、生産ライン構成装置の処理部に相当する。なお、組合せ計量処理では、所定の演算処理を必要とするため、後述する秤制御部も前記処理部に含まれる。
【００４２】
［半自動式組合せ秤の制御系統］
次に、本実施の形態に係る半自動式組合せ秤１０の制御系統について、図２を参照して説明する。なお、図中矢印は、信号が伝達される方向を示す。
【００４３】
半自動式組合せ秤１０は、秤制御部４１、秤記憶部４２、搬送コンベヤ駆動回路４３、供給ホッパ用排出ゲート駆動回路４４、計量ホッパ用排出ゲート駆動回路４５、Ａ／Ｄ変換回路４６，４７、Ｉ／Ｏ回路４８を有しており、さらに、入出力器として、前記操作設定表示部２１ａと、印字部３３とを有している。
【００４４】
秤制御部４１、秤記憶部４２、およびＩ／Ｏ回路４８は、例えば、それぞれ、マイクロコンピュータのＣＰＵ、内部メモリ、Ｉ／Ｏ入出力回路で構成される。秤制御部４１は、秤記憶部４２およびＩ／Ｏ回路４８に接続されている。また、秤制御部４１には、搬送コンベヤ駆動回路４３、供給ホッパ用排出ゲート駆動回路４４、計量ホッパ用排出ゲート駆動回路４５、およびＡ／Ｄ変換回路４６，４７がそれぞれ接続されている。さらに、秤制御部４１は操作設定表示部２１ａにも接続されている。
【００４５】
搬送コンベヤ駆動回路４３は搬送コンベヤ３１に接続されており、秤制御部４１からの制御信号に従って搬送コンベヤ３１の動作を制御する。供給ホッパ用排出ゲート駆動回路４４は、各供給ホッパ１４の前側の排出ゲート３４ａ（図２では前側ゲート）および後側の排出ゲート３４ｂ（図２では後側ゲート）に接続されており、秤制御部４１からの制御信号に従ってこれら排出ゲート３４ａ，３４ｂの動作を制御する。また、計量ホッパ用排出ゲート駆動回路４５は、計量ホッパ１５の前側の収容部１５ａが有する排出ゲート３５ａ（図２では前側ゲート）および後側の収容部１５ｂが有する排出ゲート３５ｂ（図２では後側ゲート）に接続されており、秤制御部４１からの制御信号に従ってこれら排出ゲート３５ａ，３５ｂを制御する。Ａ／Ｄ変換回路４６は供給ホッパ用計量センサ１６に接続されており、供給ホッパ用計量センサ１６からのアナログ信号をデジタル信号に変換する。Ａ／Ｄ変換回路４７は計量ホッパ用計量センサ１７に接続されており、計量ホッパ用計量センサ１７からのアナログ信号をデジタル信号に変換する。
【００４６】
なお、前記の通り、供給ホッパ１４、計量ホッパ１５、供給ホッパ用計量センサ１６、および計量ホッパ用計量センサ１７は、これらで一組の供給計量部となっているので、図２では、第１番目の供給ホッパ１４の参照符号を１４−１、第２番目の供給ホッパ１４の参照符号を１４−２、第ｎ番目の供給ホッパ１４の参照符号を１４−ｎとして示す。計量ホッパ１５、供給ホッパ用計量センサ１６、および計量ホッパ用計量センサ１７も同様に参照符号を付すものとする。本実施の形態では、半自動式組合せ秤１０が計量供給部を９組備えているので、ｎ＝９となる。
【００４７】
Ｉ／Ｏ回路４８は図示されない包装機に接続され、包装機からの排出命令信号を秤制御部４１に入力するとともに、秤制御部４１からの排出完了信号を包装機に出力する。排出命令信号は、包装機による被計量物の包装のタイミングに合わせて、当該包装機から半自動式組合せ秤１０へ出力される信号であり、排出完了信号は、半自動式組合せ秤１０で組合せ計量が完了して被計量物が排出されたタイミングに合わせて、当該半自動式組合せ秤１０から包装機へ出力される信号である。本実施の形態では、半自動式組合せ秤１０の組合せ計量および排出動作と包装機の包装動作とは、これら信号の入出力により連係されている。
【００４８】
操作設定表示部２１ａは、秤制御部４１に対して、組合せ計量等に関する各種の操作指令、組合せ計量の動作に関して設定される各種条件（運転パラメータ）等の情報を入力するとともに、秤表示部４１から出力される各種の表示情報を表示するよう構成されている。操作設定表示部２１ａに、操作者情報生成部としてのデジタルカメラが設けられるとともに、秤制御部４１および秤記憶部４２とは別に、操作設定表示部２１ａの制御部および記憶部が設けられている。そして、操作設定表示部２１ａの制御部は、オペレータ（作業者または操作者）が各種の操作または設定を行うとともに、デジタルカメラでオペレータを撮像し、撮像データに操作記録情報を関連付けて、操作設定表示部２１ａの記憶部に、前記撮像データを記憶させるよう構成されている。この点については、操作設定表示部２１ａの具体的構成とともに詳述する。
【００４９】
次に、秤制御部４１による半自動式組合せ秤１０の組合せ計量の制御について説明する。まず、秤制御部４１に対し、操作設定表示部２１ａから、運転パラメータ等を含む操作情報が入力される。秤制御部４１は、入力された操作情報を秤記憶部４２に記憶させる。記憶された操作情報は、秤制御部４１によって読み出され、必要に応じて操作設定表示部２１ａに出力され、表示画面上に表示される。さらに、秤制御部４１は、操作設定表示部２１ａによる操作によって印字部３３に、前記操作情報を含む各種情報を印字（印刷）させる。なお、秤記憶部４２には、組合せ計量の演算等を行うためのプログラム等も記憶されている。
【００５０】
供給ホッパ用計量センサ１６からの検出信号は、Ａ／Ｄ変換回路４６を介して検出値へと変換されて、秤制御部４１へ出力される。また、計量ホッパ用計量センサ１７からの検出信号は、Ａ／Ｄ変換回路４７を介して検出値へと変換されて、秤制御部４１へ出力される。秤制御部４１は、秤記憶部４２に記憶されたプログラムを用いて、入力された検出信号等を処理する。さらに秤制御部４１は、処理結果に基づいて、搬送コンベヤ駆動回路４３、供給ホッパ用排出ゲート駆動回路４４、計量ホッパ用排出ゲート駆動回路４５に制御信号を出力する。これにより、秤制御部４１は、搬送コンベヤ３１、供給ホッパ１４の２個の排出ゲート３４ａおよび３４ｂ、計量ホッパ１５の２個の排出ゲート３５ａおよび３５ｂの動作を制御する。
【００５１】
供給ホッパ１４の排出ゲート３４ａおよび３４ｂの開閉は、秤制御部４１からの制御信号により供給ホッパ用排出ゲート駆動回路４４を介して制御され、これにより、計量ホッパ１５への被計量物の供給動作が制御される。計量ホッパ１５の排出ゲート３５ａおよび３５ｂの開閉も、秤制御部４１からの制御信号により計量ホッパ用排出ゲート駆動回路４５を介して制御される。秤制御部４１は、計量ホッパ１５の排出ゲート３５ａおよび３５ｂの開閉等を制御するときには、包装機からの排出命令信号に応じて開閉のタイミングを調整するように構成されている。これにより、組合せ計量動作および排出動作が制御される。
【００５２】
秤制御部４１は、組合せ計量動作および排出動作の制御を行うとともに、当該制御に伴って、各種の処理結果（組合せ計量の演算結果等）を生成する。この処理結果は、適宜、秤記憶部４２に記憶されるとともに、必要に応じて操作設定表示部２１ａに出力され、操作設定表示部２１ａの表示画面上に表示される。さらに、必要に応じて操作設定表示部２１ａの操作により印字部３３で印字されて出力される。また、秤制御部４１は、排出動作が完了すれば排出完了信号を生成し、Ｉ／Ｏ回路４８を介して包装機へ出力する。
【００５３】
このように、秤制御部４１は、供給ホッパ１４、計量ホッパ１５、および搬送コンベヤ３１の動作を制御することで、被計量物の供給量および排出量を調整し、半自動式組合せ秤１０を運転する。
【００５４】
［半自動式組合せ秤の動作］
次に、本実施の形態に係る半自動式組合せ秤１０において、組合せ計量動作および排出動作の概略について図１および図２を参照して具体的に説明する。
【００５５】
まず、秤制御部４１は、供給ホッパ用計量センサ１６からの信号に基づき、供給ホッパ１４が空であるか否かを判断する。空でなく被計量物が残存している場合には警告を操作設定表示部２１ａの表示画面に表示させる。半自動式組合せ秤１０のオペレータ（作業者）は、空の供給ホッパ１４に対応する投入口１９から被計量物を投入する。
【００５６】
次に秤制御部４１は、供給ホッパ用計量センサ１６および計量ホッパ用計量センサ１７からの信号に基づき、各供給ホッパ１４に被計量物が収容されているか（空でないか）、また所定の供給ホッパ１４に対応する計量ホッパ１５に被計量物が収容されていないか（空であるか）を判断する。所定の供給ホッパ１４に被計量物が収容されており、かつ、対応する計量ホッパ１５に被計量物が収容されていない場合には、供給ホッパ１４の前側の排出ゲート３４ａまたは後側の排出ゲート３４ｂのいずれかを開き、被計量物を計量ホッパ１５の収容部１５ａまたは１５ｂに落下させて供給する。計量ホッパ１５の収容部１５ａまたは１５ｂのいずれかに被計量物が供給されると、当該計量ホッパ１５に対応する計量ホッパ用計量センサ１７により被計量物の重量が検出される。秤制御部４１は、前記検出結果に基づいて、各計量ホッパ１５に収容された被計量物の重量（計量値）を演算して秤記憶部４２に記憶させる。
【００５７】
ここで、前記のとおり、計量ホッパ１５の収容部１５ａ，１５ｂはそれぞれ別個に独立して組合せ計量に参加することができる。例えば、第一の計量サイクルでは、第１番目の供給ホッパ１４−１の前側の排出ゲート３４ａを開いて被計量物を落下させると、当該被計量物は、第１番目の計量ホッパ１５−１の前側の収容部１５ａに収容される。それゆえ、第１番目の計量ホッパ用計量センサ１７−１は、第１番目の計量ホッパ１５−１の前側の収容部１５ａの重量を検出し、秤制御部４１は、第１番目の計量ホッパ１５−１の収容部１５ａの重量を演算して計量値Ｖａを算出し、秤記憶部４２に記憶させる。
【００５８】
次に、第二の計量サイクルでは、第１番目の供給ホッパ１４−１の後側の排出ゲート３４ｂを開いて被計量物を落下させ、第１番目の計量ホッパ１５−１の後側の収容部１５ｂに被計量物を供給する。このとき、第１番目の計量ホッパ用計量センサ１７−１は、前側の収容部１５ａおよび後側の収容部１５ｂに収容されている被計量物の合計重量を検出することになる。ここで、秤記憶部４２には、前側の収容部１５ａに収容されている被計量物の計量値が記憶されているため、秤制御部４１は、合計重量の計量値Ｖａｂから前側の収容部１５ａの計量値Ｖａを減算し、後側の収容部１５ｂにおける被計量物の計量値Ｖｂを算出する。このような制御構成とすることで、計量ホッパ１５を収容部１５ａおよび１５ｂに２分割した場合に、各収容部１５ａおよび１５ｂを別個に独立して組合せ計量に参加させることができる。
【００５９】
次に、秤制御部４１は、計量ホッパ用計量センサ１７の検出結果から、所定数（組合せ計量の精度を維持できる数）以上の数の計量ホッパ１５に被計量物が収容されているか否かを判定し、収容されていれば、得られた計量値を用いて組合せ演算を行う。この組合せ演算とは、所定数の計量ホッパ１５（正確には収容部１５ａ，１５ｂ）毎に収容されている被計量物の重量を合計して合計重量を算出する演算である。また、前記所定数とは、組合せ計量の精度を維持できる最低の数であり、最低組合せ参加ホッパ数ということもできる。この最低組合せ参加ホッパ数（所定数）は、被計量物の種類等に応じて適宜設定することができる。また、組合せ計量に参加した計量ホッパ１５の数は、最低組合せ参加ホッパ数以上の数となるが、説明の便宜上、この数を組合せ数とする。
【００６０】
そして、秤制御部４１は、組合せ演算の結果として得られる、計量ホッパ１５の組合せ数の合計重量を、予め設定された目標重量の許容範囲と比較し、その合計重量が前記許容範囲内に入るものについては、秤制御部４１は好適な組合せとして選択する。このように、好適な計量ホッパ１５の組合せを選択する処理が組合せ計量であり、また、好適な計量ホッパ１５の組合せにおける前記合計重量が組合せ重量である。さらに秤制御部４１は、組合せ重量を操作設定表示部２１ａに出力し、表示画面に表示させる。
【００６１】
さらに、秤制御部４１に対しては、Ｉ／Ｏ回路４８を介して包装機より排出命令信号が入力される。そこで、秤制御部４１は、被計量物が収容されている計量ホッパ１５の数が前記所定数（最低参加ホッパ数）以上であり、かつ、組合せ重量範囲内の計量ホッパ１５の最適な組合せがあると判定すれば、計量ホッパ用排出ゲート駆動回路４５により、当該組合せに参加している計量ホッパ１５の排出ゲート３５ａ，３５ｂを開放するよう制御して、被計量物を搬送コンベヤ３１に排出させる。排出された被計量物は、搬送コンベヤ３１の搬送面に載置され図示しない包装機に搬送される。なお、供給ホッパ１４からの被計量物の供給に始まり、搬送コンベヤ３１への排出に至る一連の動作を一回の計量サイクルと称する。
【００６２】
［操作設定表示部の構成］
次に、半自動式組合せ秤１０が備える操作設定表示部２１ａのより具体的な構成について、図３および図４（ａ）〜（ｃ）を参照して説明する。なお、図中矢印は、信号が伝達される方向を示す。
【００６３】
操作設定表示部２１ａは、タッチパネル部２２、デジタルカメラ２３、操作設定表示制御部２４ａ、操作記録生成部２４ｂ、暦情報生成部２４ｃ、操作設定表示記憶部２５、Ｉ／Ｏ回路２６を備えている。なお、操作設定表示制御部２４ａ、操作記録生成部２４ｂ、暦情報生成部２４ｃ、操作設定表示記憶部２５、およびＩ／Ｏ回路２６は、制御基板２４上に構成されている。
【００６４】
タッチパネル部２２は、操作設定表示部２１ａの表示器と操作器とを兼ねており、表示パネル２２１およびタッチ入力部２２２を備えている。表示パネル２２１は、例えば液晶パネル等の公知のフラットディスプレイパネルであり、図示されないグラフィックボード等のＩ／Ｏ回路を介して、制御基板２４の図示されない表示用ポート（公知のグラフィック用ポート等）に接続されている。表示パネル２２１は、操作設定表示制御部２４ａの制御により、前記表示用ポートおよび前記グラフィックボードを介して表示パネル２２１に画像情報が入力されることで、各種の情報を画像として表示する。
【００６５】
また、タッチ入力部２２２は、例えば、膜抵抗方式、静電容量方式、表面弾性波方式等の公知のタッチパネル（タッチスクリーン）であり、表示パネル２２１の表示面上に組みつけられている。これにより、タッチ入力部２２２の入力面は、表示パネル２２１の表示面に重なることになる。また、タッチ入力部２２２は、図示されないタッチスクリーンインターフェース等のＩ／Ｏ回路を介して、制御基板２４の図示されない操作入力用ポート（公知のシリアルポート等）に接続されている。
【００６６】
オペレータが指先でタッチ入力部２２２の入力面すなわち表示パネル２２１の表示面の特定の位置に触れると、触れた位置のタッチ座標データが生成され、図示されない前記タッチスクリーンインターフェースおよび前記操作入力用ポートを介して、操作設定表示制御部２４ａに入力される。なお、タッチパネル部２２で表示された操作画面で特定の操作が行われたとき、タッチ入力部２２２から操作記録生成部２４ｂに対しても、タッチ座標データが入力される。このタッチ座標データは、表示パネル２２１に表示され、操作された操作キーに対応するデータである。
【００６７】
デジタルカメラ２３は、操作設定表示制御部２４ａにより制御され、操作設定表示部２１ａの操作器であるタッチパネル部２２を操作したオペレータ（操作者）の画像（操作者画像）を撮像し、この操作者画像を、操作者を特定する操作者情報として生成し、制御基板２４（厳密には操作記録生成部２４ｂ）に出力する。デジタルカメラ２３の具体的な構成は特に限定されず、例えば、電荷結合素子（ＣＣＤ）を用いたＣＣＤイメージセンサ、ＣＭＯＳ素子を用いたＣＭＯＳイメージセンサ等の固体撮像素子を用いたウェブカメラを好適に用いることができる。デジタルカメラ２３がウェブカメラ、あるいはＬＡＮカメラであれば、制御基板２４に図示されない画像入力用ポート（公知のＵＳＢポート等）を設け、これに接続すればよい。
【００６８】
操作設定表示部２１ａにおけるデジタルカメラ２３の配置は特に限定されず、操作設定表示部２１ａの操作画面（タッチパネル部２２の表示画面）を操作しているオペレータを撮像できる位置であれば、どのような位置に設けられてもよい。例えば、図４（ａ），（ｂ）に示すように、デジタルカメラ２３ａを操作設定表示部２１ａの操作画面の上側または側方に取り付けてもよく、図４（ｃ）に示すように、操作設定表示部２１ａの上側にデジタルカメラ２３ｂを一体化させてもよい。この構成では、公知のノート型パーソナルコンピュータ（ＰＣ）に用いられる一体型ウェブカメラを採用し、操作設定表示部２１ａの筐体を、前記一体型ウェブカメラが取り付けられるような構成とすればよい。
【００６９】
また、デジタルカメラ２３は、静止画を撮像するものであってもよいし、動画を撮像するものであってもよいし、静止画および動画のいずれも撮像できるものであってもよい。操作者画像のデータ量の大きさおよび操作記録情報の確認のし易さ等を考慮すれば、操作者画像は静止画であると好ましいが、半自動式組合せ秤１０の使用環境（あるいは、半自動式組合せ秤１０以外の生産ライン構成装置の使用環境）に応じて、動画が好ましい場合には動画を撮像するものを用いればよい。さらに、デジタルカメラ２３は、図３および図４では、１個のみを備える構成を例示しているが、これに限定されず、異なる位置に複数設けられている構成であってもよい。
【００７０】
操作設定表示制御部２４ａ、操作設定表示記憶部２５、Ｉ／Ｏ回路２６は、制御基板２４上のＣＰＵ、内部メモリ、ＬＡＮ回路で構成される。Ｉ／Ｏ回路２６は、図２に示す秤制御部４１に接続され、操作設定表示制御部２４ａと秤制御部４１との間で各種の情報を入出力する。
【００７１】
暦情報生成部２４ｃは、操作設定表示制御部２４ａにより制御され、暦情報を生成し、操作記録生成部２４ｂに入力する。暦情報は、年月日および時間（時、分、秒の単位を含む）の情報であればよく、その形式は特に限定されない。操作記録情報の蓄積期間を考慮すれば、例えば年情報または月情報等、特定の単位時間情報を省略することもできる。操作記録生成部２４ｂは、操作設定表示制御部２４ａの制御により、タッチ入力部２２２から入力されるタッチ座標データに基づき、操作器であるタッチパネル部２２から操作の種類を情報として取得し、この操作の種類情報に対して、暦情報生成部２４ｃから入力される暦情報と、デジタルカメラ２３から入力される操作者画像を関連付けることで、タッチパネル部２２の操作記録情報を生成する。
【００７２】
操作記録生成部２４ｂおよび暦情報生成部２４ｃは、それぞれ公知のスイッチング素子、減算器、比較器等による論理回路等として構成されてもよいし、操作設定表示制御部２４ａの機能構成であって、演算部としてのＣＰＵが、操作設定表示記憶部２５に格納されるプログラムに従って動作することにより実現される構成であってもよい。本実施の形態では、好ましい一例として、予め組み込まれたプログラムを実行する構成の組込み型のマイクロコンピュータを、操作設定表示制御部２４ａとして採用することができる。
【００７３】
操作設定表示制御部２４ａは、タッチパネル部２２の特定の操作と同時に、デジタルカメラ２３により操作者を撮像させて操作者画像を生成させ、操作記録生成部２４ｂにより操作記録情報を生成させ、操作設定表示記憶部２５の操作ログ記憶領域２５ａに記憶させる。操作キーが操作される毎に生成する操作記録情報は、操作設定表示制御部２４ａによって順次、操作ログ記憶領域２５ａに記憶されていく。このように操作記録情報が操作設定表示記憶部２５に蓄積されていくことによって、操作キーの操作記録の履歴情報、すなわち操作ログが生成される。
【００７４】
また、操作設定表示制御部２４ａは、後述するように、タッチパネル部２２の表示画面上に表示される所定の操作キーを操作することで、操作設定表示記憶部２５の操作ログ記憶領域２５ａから操作ログを読み出し、タッチパネル部２２に表示させるよう構成されている。
【００７５】
［運転操作画面の構成］
次に、操作設定表示部２１ａのタッチパネル部２２で表示される運転操作画面について、図５を参照して説明する。
【００７６】
運転操作画面２２０ａは、半自動式組合せ秤１０の運転において重要な基本的な情報と、操作設定表示部２１ａのタッチパネル機能を利用した操作用のキー等を表示する画面であり、運転データ表示エリア２２３、基本操作キー表示エリア２２４および表示切替用キー表示エリア２２５の各表示領域が表示される。運転データ表示エリア２２３は運転操作画面２２０ａにおける向かって左側を中心に当該運転操作画面２２０ａの大部分を占めており、基本操作キー表示エリア２２４は運転操作画面２２０ａの下側に位置し、表示切替用キー表示エリア２２５は運転操作画面２２０ａにおける向かって右側に位置している。
【００７７】
運転データ表示エリア２２３には、下位の表示領域として、品種番号表示枠２２３ａ、品種名表示枠２２３ｂ、組合せ重量表示枠２２３ｃ、組合せ結果表示エリア２２３ｄ、運転速度表示枠２２３ｅ、および目標組合せ重量表示枠２２３ｆが表示される。運転データ表示エリア２２３の上方に品種番号表示枠２２３ａおよび品種名表示枠２２３ｂが表示され、同じく中央部には、組合せ重量表示枠２２３ｃおよび組合せ結果表示エリア２２３ｄが表示され、同じく下方には、運転速度表示枠２２３ｅおよび目標組合せ重量表示枠２２３ｆが表示されている。
【００７８】
品種番号表示枠２２３ａでは、現在選択されている「品種プログラム」の番号（図５に示す例では「１」）が表示される。本実施の形態では、半自動式組合せ秤１０では、表示画面を後述するプログラム選択画面に切り替え、予め、秤記憶部４２に記憶させた、品種別の運転パラメータである「品種プログラム」の番号を選択することで、操作設定表示部２１ａから秤制御部４１に対して、所定の「品種プログラム」に切り替えるよう操作指令が入力される。そこで、秤制御部４１は秤記憶部４２から、品種に対応する運転パラメータを呼び出して設定する。
【００７９】
品種名表示枠２２３ｂでは、具体的な「品種」との対応関係が明確となるよう、品種番号表示枠２２３ａにおける向かって右側に、品種番号表示枠２２３ａで選択された「品種プログラム」に対応する品種の詳細が表示される（図５に示す例では、「ムネ２０００ｇ」すなわち「鶏ムネ肉２０００ｇ」）。
【００８０】
組合せ重量表示枠２２３ｃでは、毎回の組合せ計量の結果である組合せ重量の計量値が表示されるとともに、この計量値が目標重量と比較された評価が、組合せ結果表示エリア２２３ｄで表示される（図５に示す例では、表示画面の中央部の向かって左寄りに最大面積で表示）。組合せ結果表示エリア２２３ｄは、組合せ重量の計量値が、目標重量の許容範囲に入っているか外れているかを表示する領域であるので、組合せ重量表示枠２２３ｃに隣接（図５に示す例では、表示画面における向かって右側）に表示されている。
【００８１】
組合せ結果表示エリア２２３ｄの具体的構成は特に限定されない。図５に示す例では、「過量」および「不足」の場合を上向きまたは下向きの三角形（△）で示し、「適量」の場合には丸（○）で示すという表示手法、すなわち、図形等の図像情報で表示する手法が採用されているなお、組合せ重量表示枠２２３ｃで表示された計量値が「過量」、「適量」または「不足」のいずれに相当するのかについては、例えば反転表示や表示色の切り替え等により表示することができる。
【００８２】
図５に示す例では、組合せ重量表示枠２２３ｃにおいて、組合せ計量の結果（計量値）が「２００１．２ｇ」であることが表示され、組合せ計量表示エリア２２ｄにおいて、当該計量値が「適量」であることが、中央の円の反転表示により示されている。
【００８３】
運転速度表示枠２２３ｅおよび目標組合せ重量表示枠２２３ｆは、前記組合せ重量表示枠２２３ｃで表示される組合せ重量（計量値）とともに、半自動式組合せ秤１０の運転に関して重要な運転速度および組合せ重量の目標値（目標重量）を表示するように構成されている。図５に示す例では、運転速度表示枠２２３ｅでは、組合せ重量表示枠２２３ｃで「２００１．２ｇ」と表示された回の組合せ計量の運転速度が「３０．０ｗｐｍ」であることが表示されており、その下方の目標組合せ重量表示枠２２３ｆでは、「品種プログラム」の番号が「１」、すなわち「品種」が「ムネ２０００ｇ」であるときの目標重量が「２０００．０ｇ」であることが表示されている。前記運転速度の単位「ｗｐｍ」は１分当たりの組合せ計量（すなわち包装回数）の回数を意味する。
【００８４】
なお、運転データ表示エリア２２３で表示される情報は、前記各情報に限定されず、他の情報が表示されてもよいし、一部の情報が表示されなくてもよい。
【００８５】
次に、基本操作キー表示エリア２２４は、運転操作画面２２０ａの下側に位置するよう表示され、運転ＯＮ−ＯＦＦキー２２４ａ、清掃開始キー２２４ｂ、終業運転開始キー２２４ｃ、操作ログ表示キー２２４ｄおよび全排出開始キー２２４ｅが下位の表示領域として表示されている。これら表示領域は、長方形状の枠で囲まれたキー状の表示領域となっている。この表示領域にオペレータが指先等を接触（タッチ）させることで、半自動式組合せ秤１０の特定の操作や表示切り替え等の操作指令が出力される。つまり、これら表示領域は操作器として機能する。これら操作キーの表示形状は、操作キーであることを明確とする表示となっていればよい。
【００８６】
運転ＯＮ−ＯＦＦキー２２４ａは、半自動式組合せ秤１０の運転を開始または停止させるための操作キーである。図５に示す例では、半自動式組合せ秤１０が運転中であることから、運転ＯＮ−ＯＦＦキー２２４ａにタッチすれば運転は停止する。したがって、このときの運転ＯＮ−ＯＦＦキー２２４ａは「ストップ」という操作キーとして表示される。逆に、半自動式組合せ秤１０の運転が停止しているときは、運転ＯＮ−ＯＦＦキー２２４ａは「スタート」という操作キーとして表示される。
【００８７】
清掃開始キー２２４ｂは、供給ホッパ１４および計量ホッパ１５の全ての排出ゲート３４ａ，３４ｂ，３５ａ，３５ｂを継続的に開放または閉鎖させるための操作キーであり、運転の終了後等にオペレータが半自動式組合せ秤１０を清掃しやすいようにする場合に操作される。また、その他清掃の便宜を図ることができるような操作を行うよう構成されてもよい。終業運転開始キー２２４ｃは、終業運転を行うための操作キーである。この終業運転とは、終業時に半自動式組合せ秤１０の運転を円滑に停止させるために、組合せ計量に参加できる計量ホッパ１５（収容部１５ａ，１５ｂ）の数が少なくても、組合せ重量が目標重量の許容範囲に入るのであれば、「適量」であると判定して被計量物を計量ホッパ１５から排出できるようにすることをいう。操作ログ表示キー２２４ｄは、後述する操作ログ画面を表示する操作キーである。全排出開始キー２２４ｅは、供給ホッパ１４および計量ホッパ１５の全てに収容されている被計量物を強制的に排出する操作を行うための操作キーである。なお、基本操作キー表示エリア２２４には他の操作設定用の操作キーが表示されてもよいし、前記各操作キーのうち一部が表示されなくてもよいし、一部が必要に応じて表示されるよう構成されてもよい。
【００８８】
表示切替用キー表示エリア２２５は、運転操作画面２２０ａにおける向かって右側に位置するように表示され、アクセスレベル表示・切替キー２２５ａ、プログラム選択画面アクセスキー２２５ｂ、トラブル対策画面アクセスキー２２５ｃ、手動運転画面アクセスキー２２５ｄ、プログラム設定画面アクセスキー２２５ｅ、診断画面アクセスキー２２５ｆ、日付時間画面アクセスキー２２５ｇ、初期校正画面アクセスキー２２５ｈ、および、システム設定画面アクセスキー２２５ｉが下位の表示領域として表示されている。この表示領域に表示されるキーは、基本画面である運転表示画面から、基本画面以外の設定画面に切り替える操作を行う操作キーである。
【００８９】
アクセスレベル表示・切替キー２２５ａは、現在のアクセルレベルを表示するとともに、当該アクセスレベルを変更するための操作キーである。ここでいうアクセスレベルとは、基本画面（運転操作画面２２０ａ）から設定画面にアクセスできるレベルを指し、図５に示す例では、鍵の図像を４個表示させることによりアクセスレベルが「レベル４」であることを示している。アクセスレベルが上がれば、より多くの設定画面にアクセスできるようになり、アクセスレベルが下がれば、アクセスできる設定画面が少なくなる。アクセスレベルを変更する操作を行うには、例えば、アクセスレベル表示・切替キー２２５ａにタッチしてパスワードを設定する等の方法が挙げられるが、特に限定されない。
【００９０】
図５に示す例では、アクセスできる設定画面の種類が、複数の画面アクセスキーとして、アクセスレベル表示・切替キー２２５ａの下側に縦一列に配列して表示されている。本実施の形態では、レベル４がアクセスレベルの最高レベルであるので、アクセスできる設定画面は最高８種類となる。レベルが下がるにつれてアクセスできる設定画面の種類は減少する。画面アクセスキーの配列順は特に限定されないが、表示の便宜や重要性または使用頻度を明確とする点から、より低いレベルでもアクセスできる設定画面を上方に位置させて表示すると好ましい。本実施の形態では、前記のとおり、品種に応じて品種プログラムを選択する操作を行うため、プログラム選択画面アクセスキー２２５ｂを最上位置に表示している。
【００９１】
プログラム選択画面アクセスキー２２５ｂは、前記のとおり、品種プログラムを選択する設定画面にアクセスする操作キーである。トラブル対策画面アクセスキー２２５ｃは、半自動式組合せ秤１０の運転時に何らかのトラブルが発生したときに、トラブルへの対応情報を表示する設定画面にアクセスする操作キーである。手動運転画面アクセスキー２２５ｄは、半自動式組合せ秤１０の運転において被計量物の排出動作も手動で行うための設定画面にアクセスする操作キーである。プログラム設定画面アクセスキー２２５ｅは、品種プログラムを新たに設定する設定画面にアクセスする操作キーである。診断画面アクセスキー２２５ｆは、半自動式組合せ秤１０のメンテナンスの一つとして診断動作を行う設定画面にアクセスする操作キーである。日付時間画面アクセスキー２２５ｇは、半自動式組合せ秤１０に内蔵されるタイマーを設定する設定画面にアクセスする操作キーである。初期校正画面アクセスキー２２５ｈは、半自動式組合せ秤１０の供給ホッパ用計量センサ１６および計量ホッパ用計量センサ１７の初期校正を行う設定画面にアクセスする操作キーである。システム設定画面アクセスキー２２５ｉは、半自動式組合せ秤１０のシステム設定画面にアクセスする操作キーである。これら画面アクセスキーでアクセスできる設定画面の詳細については説明を省略する。なお、他の設定画面にアクセスする操作キーが表示されるよう構成されてもよい。
【００９２】
［操作ログ画面の構成］
次に、運転操作画面２２０ａの操作ログ表示キー２２４ｄを操作することで、タッチパネル部２２に表示される操作ログ画面の具体的構成の一例について、図６（ａ），（ｂ）を参照して説明する。
【００９３】
操作ログ画面２２０ｂは、操作ログを表示する画面であり、この操作ログは、操作記録生成部２４ｂにより生成され、操作設定表示記憶部２５の操作ログ記憶領域２５ａに記憶された操作記録情報が蓄積されることによって生成される。操作ログ画面２２０ｂでは、操作ログ表示操作エリア２２６、操作ログデータ表示エリア２２７、および基本操作キー表示エリア２２４の各表示領域が表示される。操作ログ表示操作エリア２２６は、操作ログ画面２２０ｂの上側に位置し、操作ログデータ表示エリア２２７は、操作ログ画面２２０ｂの中央の大部分を占めており、基本操作キー表示エリア２２４は、操作ログ画面２２０ｂの下側に位置している。
【００９４】
操作ログ表示操作エリア２２６では、下位の表示領域として、エラー履歴表示キー２２６ａ、コマンド履歴表示キー２２６ｂ、キー操作履歴表示キー２２６ｃ、ログデータ表示切替キー２２６ｄおよび２２６ｇ、ログ現在区分表示枠２２６ｅ、並びに、ログ全区分数表示枠２２６ｆが表示される。いずれの表示領域も枠で囲まれた領域となっているが、ログ現在区分表示枠２２６ｅおよびログ全区分数表示枠２２６ｆ以外は、オペレータが指先等を接触（タッチ）させることで、表示切り替えの操作指令が出力される。
【００９５】
エラー履歴表示キー２２６ａを操作することで、操作ログデータ表示エリア２２７に、半自動式組合せ秤１０に発生したエラーの履歴がタッチパネル部２２に表示される（エラー履歴表示モード）。コマンド履歴表示キー２２６ｂを操作することで、半自動式組合せ秤１０に与えられた操作指令の履歴がタッチパネル部２２に表示される（コマンド履歴表示モード）。キー操作履歴表示キー２２６ｃを操作することで、オペレータが操作した各操作キーの履歴がタッチパネル部２２に表示される（操作キー履歴表示モード）。このように、本実施の形態では、操作ログデータ表示エリア２２７に表示される操作ログデータの表示モードとしては、上記３種類のモードが設定されているが、本発明はこれに限定されない。図６（ａ）に示す例では、キー操作履歴表示キー２２６ｃの操作により、操作キー履歴表示モードの画面が表示されている。
【００９６】
なお、本実施の形態では、エラー履歴表示キー２２６ａは「エラー」という操作キーとして表示され、コマンド履歴表示キー２２６ｂは「コマンド」という操作キーとして表示され、キー操作履歴表示キー２２６ｃは「キー」という操作キーとして表示されているが、これら表示限定されず、各表示モードが明らかとなるような形態で表示されればよい。
【００９７】
ログデータ表示切替キー２２６ｄおよび２２６ｇを操作することで、操作ログデータ表示エリア２２７に表示される操作ログデータを区分ごとに切り替えることができる。この区分とは、操作ログを構成する個々の操作記録情報を一定数ごとにまとめたものであり、１区分を１ページとして取り扱われる。ログデータ表示切替キー２２６ｄを操作することで操作ログが前ページへ切り替えられ、ログデータ表示切替キー２２６ｇを操作することで操作ログが後ページへ切り替えられる。それゆえ、ログデータ表示切替キー２２６ｄでは、二等辺三角形の頂角が左側を向いた状態の図像が表示され、ログデータ表示切替キー２２６ｇでは、二等辺三角形の頂角が右側を向いた状態の図像が表示される。
【００９８】
ログ現在区分表示枠２２６ｅおよびログ全区分数表示枠２２６ｆは、操作キーではなく、上記区分すなわち操作ログの区分（ページ）を表示する表示枠である。図６（ａ）に示す例では、記録されている操作ログの全区分が１０ページであり、そのうち第１ページが操作ログデータ表示エリア２２７に表示されている。
【００９９】
操作ログデータ表示エリア２２７では、前記のとおり、操作ログデータが表示される。操作ログデータの表示様式は特に限定されないが、図６（ａ）に示すように、表の形式で表示することが好ましい。この表示例では、操作キーが操作された順に、記録番号（１〜１０の序数）、表示画面の種類（「テスト」、「自動運転」、「詳細設定」、「品種設定」の各画面）、操作された操作キーの種類（「ログ」、「テスト」、「アクセスレベル」、「戻る」、「安定時間」、「詳細設定」、「速度」として表示される各操作キー）、設定されている各種条件の数値が変更された場合の変更前後の数値、および記録日時（操作された月日と時間）が、表の形式で表示されている。なお、記録番号を表示する下位の表示領域が記録番号枠２２７ａであり、表示画面の種類を表示する下位の表示領域が画面種類表示枠２２７ｂであり、操作された操作キーの種類を表示する下位の表示領域が操作キー表示枠２２７ｃであり、変更される後の数値を表示する下位の表示領域が変更後数値表示枠２２７ｄであり、変更された前の数値を表示する下位の表示領域が変更前数値表示枠２２７ｅであり、記録日時を表示する下位の表示領域が記録日時表示枠２２７ｆである。
【０１００】
図６（ａ）に示す表（操作記録表と称する）では、記録番号枠２２７ａ、画面種類表示枠２２７ｂ、操作キー表示枠２２７ｃ、変更後数値表示枠２２７ｄ、変更前数値表示枠２２７ｅ、および記録日時表示枠２２７ｆの各表示領域が横行で一つにまとまることで、操作キーの１回の操作記録情報を構成している。なお、表の縦列は同一の表示枠のまとまりとなっている。そして、図中向かって右側の端には、デジタルカメラ２３で撮像された操作者画像のサムネイル画像を表示するサムネイル表示枠２２７ｇが位置している。サムネイル表示枠２２７ｇでは、それぞれの１回の操作記録情報に対応する操作者画像のサムネイル画像が表示されている。
【０１０１】
本実施の形態では、操作記録表の横行である１回の操作記録情報を構成する表示枠、または、サムネイル表示枠２２７ｇに表示されているサムネイル画像に、オペレータが触れる（タッチする）ことで、図６（ｂ）に示すように、該当する操作者画像を拡大して表示するよう構成されている。本実施の形態では、図６（ａ）における、サムネイル表示枠２２７ｇの縦列のまとまりと、変更後数値表示枠２２７ｄ、変更前数値表示枠２２７ｅ、および記録日時表示枠２２７ｆの縦列のまとまりと、に対応する領域全体が、操作者画像表示枠２２７ｈに切り換わり、この操作者画像表示枠２２７ｈ全体に操作者画像が拡大して表示される。つまり、１回の操作記録情報を構成する各表示枠（サムネイル表示枠２２７ｇも含む）のいずれかに触れることで、操作者画像が拡大されてポップアップ表示されることになる。
【０１０２】
基本操作キー表示エリア２２４は、基本操作を行うための操作キーが表示される領域であるが、操作ログ画面２２０ｂに切り換わることで、運転操作画面２２０ａに表示されていた、運転ＯＮ−ＯＦＦキー２２４ａ、清掃開始キー２２４ｂ、終業運転開始キー２２４ｃ、操作ログ表示キー２２４ｄおよび全排出開始キー２２４ｅが表示されなくなり、代わりに、図中向かって右下の位置に、「戻る」という操作キー、すなわち、表示戻しキー２２４ｆが表示される、この操作キーを操作すれば、現在の表示から切り換わる前の表示に戻すことができる。
【０１０３】
例えば、図６（ｂ）に示す、操作者画像表示枠２２７ｈで操作者画像がポップアップ表示されている表示から、図６（ａ）に示す、サムネイル表示枠２２７ｇ等が表示されている表示に戻すには、表示戻しキー２２４ｆを操作すればよい。また、図６（ａ）に示す操作ログ画面２２０ｂから図５に示す運転操作画面２２０ａに戻す場合も、表示戻しキー２２４ｆを操作すればよい。
【０１０４】
［操作ログの生成および表示の制御］
次に、上記構成の操作設定表示部２１ａにおいて、操作ログを生成して表示する制御の一例について、図７および図８を参照して説明する。
【０１０５】
まず、操作設定表示部２１ａの操作設定表示制御部２４ａは、タッチパネル部２２の表示画面に表示されている各種操作キーがオペレータにより操作されたか否かを判定する（ステップＳ１０１）。操作されない間は（ステップＳ１０１でＮＯ）、この判定のステップを繰り返すが、操作されれば、操作記録生成部２４ｂに、タッチパネル部２２のタッチ入力部２２２から、操作された操作キーの種類、すなわち操作の種類情報を取得させるとともに、暦情報生成部２４ｃで生成される暦情報、例えば、図６（ａ）において、記録日時表示枠２２７ｆに表示される日時情報を取得させる（ステップＳ１０２）。
【０１０６】
さらに、操作設定表示制御部２４ａは、操作キーが操作されるに伴いデジタルカメラ２３を動作させ、操作キーを操作したオペレータを撮像し、操作者画像を生成させる（ステップＳ１０３）。そして、操作記録生成部２４ｂでは、生成した操作者画像および取得した暦情報を操作の種類情報に関連付けて、操作記録情報を生成する（ステップＳ１０４）。操作設定表示制御部２４ａは、生成した操作記録情報を操作設定表示記憶部２５の操作ログ記憶領域２５ａに記憶させる（ステップＳ１０５）。１回の操作記録情報を生成する制御はこれで終了するが、操作キーが操作される毎にこの制御が繰り返され、操作ログ記憶領域２５ａに記憶されて操作記録情報が蓄積されることで操作ログが生成する。
【０１０７】
次に、生成された操作ログを表示する制御について説明する。図８に示すように、操作設定表示制御部２４ａは、タッチパネル部２２に表示されている操作ログ表示キー２２４ｄがオペレータにより操作されたか否かを判定する（ステップＳ２０１）。操作されない間は（ステップＳ２０１でＮＯ）、この判定のステップを繰り返すが、操作されれば、操作設定表示記憶部２５の操作ログ記憶領域２５ａから操作ログを読み出し、タッチパネル部２２に表示させる。この表示結果の一例が、図６（ａ）の操作ログデータ表示エリア２２７に示される操作記録表である。ここで、操作ログの表示は、図６（ａ）に示す操作記録表のように、操作された順に操作記録情報を並べて表示してもよいし、操作の種類別に表示してもよいし、設定されている諸条件が変更された操作記録情報のみを表示してもよい。
【０１０８】
例えば、図６（ａ）の操作記録表では、８番目の操作記録情報において、条件の変更が行われている。すなわち、「詳細設定」画面の「安定時間」キーが５月１７日の１１時１６分に操作され、この操作により、半自動式組合せ秤１０の諸条件のうち「安定時間」という条件について、当初「１３００」の設定値であったが、変更後「３００」に変更されたことがわかる。そこで、この操作記録情報のみを操作ログデータ表示エリア２２７に表示することもできる。このように条件変更を行った操作記録情報をタッチパネル部２２で表示することができれば、設定されている諸条件の変更が適切であったか不適切であったかを容易に判断することができる。
【０１０９】
なお、上記のように、変更前後の諸条件を操作記録表に表示させる場合には、操作設定表示記憶部２５は、Ｉ／Ｏ回路２６を介して、秤制御部４１に対して秤記憶部４２に記憶されている諸条件の設定値を読み出させる制御を行えばよい。このとき、秤記憶部４２には、諸条件の変更前後の設定値が記憶されているものとする。
【０１１０】
次に、操作設定表示記憶部２５は、特定の操作記録情報が選択されたか否かを判定する（ステップＳ２０４）。この選択は、前述したとおり、サムネイル表示枠２２７ｇを含む、１回の操作記録情報を構成する各表示枠のいずれかにオペレータが触れればよい。特定の操作記録情報が選択されれば（ステップＳ２０４でＹＥＳ）、選択された操作記録情報のサムネイル画像を拡大し、図６（ｂ）に示すように、操作者画像表示枠２２７ｈに操作者画面をポップアップ表示する。これによって、条件の変更を行ったオペレータを特定することができるので、条件の変更が不適切であったときに、変更を行ったオペレータに変更の意図を確認することができる。
【０１１１】
それゆえ、例えば、半自動式組合せ秤１０の管理者は、変更を行ったオペレータに対して操作上の指導を行うことができ、また、半自動式組合せ秤１０のメンテナンスを行う技術者は、半自動式組合せ秤１０の動作に問題が生じたとしても、その原因を容易につきとめることが可能になるので、半自動式組合せ秤１０を適切な動作状態に容易に回復することができる。
【０１１２】
その後、表示戻しキー２２４ｆを操作してポップアップ表示をサムネイル画像に戻せば（ステップＳ２０６）、図６（ａ）の操作記録表を表示している画面に戻る（ステップＳ２０４に戻る）。
【０１１３】
また、特定の操作記録情報が選択されない間は（ステップＳ２０４でＮＯ）、表示戻しキー２２４ｆが操作されるか否かを判定し（ステップＳ２０７）、操作されない限りは（ステップＳ２０７でＮＯ）、図６（ａ）の操作記録表の表示を継続する（ステップＳ２０４へ戻る）。一方、表示戻しキー２２４ｆが操作されれば、図６（ａ）の操作記録表を表示する画面から、図５に示す運転操作画面２２０ａに戻るので、この制御を終了する。
【０１１４】
このように、本実施の形態では、操作者を特定する操作者情報として、デジタルカメラ２３で撮像された操作者画像を利用し、これを含む操作記録情報を操作ログとして蓄積する構成となっている。それゆえ、例えば、半自動式組合せ秤１０が正常に動作しないという事態が発生し、この事態の原因の一つとして、設定されている諸条件の変更が想定されれば、タッチパネル部２２に操作記録表を表示させ、操作ログを確認することで条件の設定値が変更されたか否かを確認することができる。
【０１１５】
また、特定の条件の設定値が変更されており、当該設定値の変更が前記事態の原因であるときには、設定値を変更したオペレータ（操作者）を特定し、当該オペレータに変更の目的、理由、変更操作の手順等の変更操作状況を確認することができる。それゆえ、オペレータの操作に特に不備が無いときには、半自動式組合せ秤１０に何らかの検討事項が存在することが明らかとなる一方、オペレータの操作に不備があれば、当該オペレータに指導または教育を行うことができる。このように、変更操作状況を把握することで、前記事態の解決および防止に役立てることができる。
【０１１６】
［変形例］
本実施の形態では、図３に示すように、操作設定表示部２１ａが、秤制御部４１とは別に操作設定表示制御部２４ａを備えているが、本発明はこれに限定されず、秤制御部４１が操作設定表示制御部２４ａの機能を兼ねることにより、操作設定表示部２１ａに、操作設定表示制御部２４ａが設けられていなくてもよい。この点は、操作記録生成部２４ｂも同様である。
【０１１７】
また、本実施の形態では、図２に示すように、半自動式組合せ秤１０が備えている秤制御部４１の数は１個を例示している。しかしながら、秤制御部４１の構成はこれに限定されず、複数の制御装置を備えていてもよい。すなわち、本実施の形態における秤制御部４１とは、単独の制御装置と制御装置群との双方を意味し、秤制御部４１による制御は、集中制御であっても分散制御であってもよい。したがって、例えば、秤制御部４１および操作設定表示制御部２４ａによって半自動式組合せ秤１０の全体制御が行われる構成となっていてもよい。
【０１１８】
また、秤記憶部４２および操作設定表示記憶部２５として用いられる内部メモリは、例えば、データを一時的に記憶させるためのＲＡＭ（Random Access Memory）、電源を遮断しても記憶内容が消えないＥＥＰＲＯＭ（Electrically Erasable Programmable ROM）等が挙げられるが、これらに限定されない。
【０１１９】
これら秤記憶部４２および操作設定表示記憶部２５は、それぞれ単一である必要はなく、複数種類の記憶装置（例えば、内部メモリと外付け型のハードディスクドライブ）として構成されてもよい。また、秤記憶部４２が、操作設定表示記憶部２５を兼ねることにより、操作設定表示部２１ａに、操作設定表示記憶部２５が設けられていなくてもよい。
【０１２０】
さらに、図示されないが、秤制御部４１は、公知のインターフェースにより、外部の通信機器と通信できるように構成されてもよい。このとき、操作設定表示記憶部２５の操作ログ記憶領域２５ａに蓄積されている操作ログが、特定の通信機器に送信するように構成されてもよい。この構成であれば、複数の半自動式組合せ秤１０の操作ログを単一の監視装置で監視することが可能となる。
【０１２１】
ここで、本実施の形態では、操作者画像は、操作キーを操作する（図７のステップＳ１０１）と同時に、操作の種類情報および暦情報の生成（ステップＳ１０２）とともに生成される（ステップＳ１０３）が、もちろん、このタイミングに限定されず、操作キーを操作してから一定の期間を経過してからデジタルカメラ２３を動作させ、操作者画像を生成するよう構成（操作キーの操作より後）してもよいし、運転操作画面２２０ａが通常表示されるものではなく、初期画面から選択されて表示される場合には、運転操作画面２２０ａが表示された時点でデジタルカメラ２３を動作させ、操作画像を生成するよう構成（操作キーが操作される前）してもよい。つまり、本発明では、操作キーの操作を行った操作者を特定できるようなタイミングで操作者画像を生成するように構成されていればよい。
【０１２２】
また、図３に示す操作設定表示部２１ａの構成において、暦情報生成部２４ｃを備えていない構成例も本発明に含まれる。この構成であれば、図６（ａ）の操作記録表に示す日時情報を操作記録生成部２４ｂが取得できないが、操作ログを確認するときに、操作記録表を生成順に表示するだけで十分な場合であれば、暦情報の関連付けは必須ではない。
【０１２３】
つまり、本発明においては、操作者画像等の操作者情報に、当該操作者情報で特定される操作者が行った操作の種類を少なくとも関連付けて操作記録情報を生成するように構成されればよく、さらに暦情報またはその他の情報を関連付けてもよいし、暦情報またはその他の情報を関連付けることなく、操作者情報および操作の種類情報のみで操作記録情報が構成されてもよい。もちろん、暦情報を関連付けて操作記録情報を生成することで、例えば、操作ログから特定の操作記録情報を時間基準で検索したり時系列で確認したりすることができる等の有利な点があることはいうまでもない。
【０１２４】
また、操作設定表示部２１ａは、必ずしもタッチパネル部２２を含む構成でなくてもよく、操作入力器と表示器とがそれぞれ別に設けられている構成であってもよいし、表示器が設けられていない構成であってもよい。例えば、通信回線を利用して、半自動式組合せ秤１０とは別の場所に設けられたパーソナルコンピュータまたはサーバ等で操作ログを監視する構成であれば、半自動式組合せ秤１０においては、表示器を設けなくてよい場合もあり得る。
【０１２５】
（実施の形態２）
前記実施の形態１では、タッチパネル部２２に表示されている操作キーが操作されれば、全て操作記録情報を生成して操作ログとして操作設定表示記憶部２５に記憶させていたが、本実施の形態では、特定の操作が行われたときにのみ、操作記録情報を生成して操作ログとして蓄積する構成となっている。この構成について、図９および図１０を参照して説明する。
【０１２６】
［操作設定表示部の構成］
本実施の形態に係る半自動式組合せ秤１０の基本的な構成は、前記実施の形態１で説明した構成と同じであるが、図９に示すように、操作設定表示部２１ｂが、設定変更判定部２４ｄを備えている点で異なっている。
【０１２７】
設定変更判定部２４ｄは、タッチパネル部２２のタッチ入力部２２２から入力される操作指令が、半自動式組合せ秤１０の動作上、予め設定されている各種条件を変更する設定変更操作であるか否かを判定し、操作設定表示制御部２４ａに、設定変更操作であるという判定結果を入力する。操作設定表示制御部２４ａは、この判定結果が入力されたときに、デジタルカメラ２３を動作させて操作者画像を撮像させ、さらに、操作記録生成部２４ｂに操作記録情報を生成させる。
【０１２８】
操作設定表示部２１ｂがこのように構成されていることで、操作ログとして蓄積される操作記録情報のデータ量を減少させ、かつ、操作ログの確認および解析を容易とすることが可能となる。つまり、コンピュータ分野では、一般に、ログ（記録）を監視するロギングを行う場合、監視する対象のログが膨大な量となれば、監視方法を効率化しなければ管理者の負担が大きくなることが知られている。
【０１２９】
本実施の形態では、半自動式組合せ秤１０の操作ログをロギングする場合には、設定変更判定部２４ｄにより諸条件の設定が変更されたか否かを監視し、変更されたときに初めて操作記録情報を生成する。それゆえ、不要な操作記録情報をできる限り省いた操作ログを生成することができるので、例えば、半自動式組合せ秤１０に不具合が生じた場合に、管理者またはメンテナンス技術者が対応するときにも、操作ログの確認および解析を容易とすることができる。
【０１３０】
なお、設定変更判定部２４ｄの具体的な構成は特に限定されず、操作記録生成部２４ｂおよび暦情報生成部２４ｃと同様に、公知のスイッチング素子、減算器、比較器等による論理回路等として構成されてもよいし、操作設定表示制御部２４ａの機能構成であって、演算部としてのＣＰＵが、操作設定表示記憶部２５に格納されるプログラムに従って動作することにより実現される構成であってもよい。
【０１３１】
［操作ログの生成の制御］
次に、上記構成の操作設定表示部２１ｂにおいて、操作ログを生成する制御の一例について、図１０を参照して説明する。まず、操作設定表示部２１ｂの操作設定表示制御部２４ａは、タッチパネル部２２の表示画面に表示されている各種操作キーがオペレータにより操作されたか否かを判定し（ステップＳ３０１）、操作されない間は（ステップＳ３０１でＮＯ）、この判定のステップを繰り返す点は、前記実施の形態１と同様であるが、本実施の形態では、図９に示すように、タッチ入力部２２２からの操作指令は、設定変更判定部２４ｄを介して操作設定表示制御部２４ａへ入力されるよう構成されている。
【０１３２】
次に、各種操作キーが操作されたときには、設定変更判定部２４ｄは、当該操作によって運転操作画面２２０ａ（図５参照）が、図示されない設定画面に切り替ったか否かを判定する（ステップＳ３０２）。本実施の形態では、前記実施の形態１で説明した、表示切替用キー表示エリア２２５（図５参照）に表示される各操作キーが操作されて、運転操作画面２２０ａから各種設定画面に切り替ったか否かが判定される。
【０１３３】
設定画面に切り替った場合には、オペレータは、半自動式組合せ秤１０の諸条件の設定を変更する可能性が高い状況にあると判断される。そこで、操作設定表示制御部２４ａは、操作記録生成部２４ｂに、切り替った設定画面の種類、並びに、当該設定画面で操作された操作キーの種類を、操作の種類情報として、タッチパネル部２２のタッチ入力部２２２から取得させるとともに、暦情報生成部２４ｃで生成される暦情報を取得させる（ステップＳ３０３）。
【０１３４】
さらに、操作設定表示制御部２４ａは、設定画面が表示されるに伴いデジタルカメラ２３を動作させ、設定画面を表示させたオペレータを撮像し、操作者画像を生成させる（ステップＳ３０４）。加えて、操作設定表示制御部２４ａは、Ｉ／Ｏ回路２６を介して、秤制御部４１に対して秤記憶部４２に記憶されている諸条件の設定値を読み出させ、これを取得して条件変更情報を生成する（ステップＳ３０５）。
【０１３５】
そして、操作記録生成部２４ｂでは、上記条件変更情報を取得し、当該条件変更情報、操作者画像および暦情報を操作の種類情報に関連付けて、操作記録情報を生成する（ステップＳ３０６）。操作設定表示制御部２４ａは、生成した操作記録情報を操作設定表示記憶部２５の操作ログ記憶領域２５ａに記憶させる（ステップＳ３０７）。１回の操作記録情報を生成する制御はこれで終了するが、操作キーの操作毎にこの制御が繰り返され、操作ログ記憶領域２５ａに記憶されて操作記録情報が蓄積されることで操作ログが生成する。
【０１３６】
上記制御により生成された操作ログを表示する制御は、前記実施の形態１で説明したとおりであり、その具体的な制御説明は省略する。
【０１３７】
前記構成の制御であれば、操作記録情報を生成するタイミングを、例えば上記のように設定画面へ切り替ったときに設定するため、半自動式組合せ秤１０の動作に影響を及ぼさない（あるいは及ぼす可能性が低い）操作キーを操作した場合には、操作記録情報を生成しない。それゆえ、操作ログは、諸条件を変更した場合のみの操作記録情報で構成されることになるので、例えば、タッチパネル部２２で表示される操作記録表には、図６（ａ）に示すような全ての操作キーを操作した履歴ではなく、諸条件を変更した場合の操作記録情報のみが履歴として表示されることになる。それゆえ、表示画面上で操作ログ全体を確認しやすくなるだけでなく、操作ログ記憶領域２５ａに記憶されている操作ログ全体のデータ量が小さくなり、かつ、操作ログで確認すべき操作記録情報の数も減少するので、操作ログをより簡素かつ効率的に確認することができる。
【０１３８】
［変形例］
本実施の形態では、操作記録情報を生成するタイミングを、例えば図５に示される表示切替用キー表示エリア２２５に表示される設定画面切替用の操作キーを操作した時点に設定しているが、本発明はこれに限定されない。例えば、上記設定画面切替用の操作キーを操作した後に、実際に諸条件が変更される操作が行われた時点としてもよく、表示切替用キー表示エリア２２５に表示される操作キーのうち、アクセスレベル表示・切替キー２２５ａを操作した時点を、操作記録情報を生成するタイミングとしてもよい。これは、前述したように、アクセスレベルが上がれば、より多くの設定画面にアクセスできることから、アクセスレベルの変更は、諸条件の設定変更につながると判断できるためである。
【０１３９】
また、例えば、デジタルカメラ２３で撮像された操作者画像を解析できる構成を有している場合には、本実施の形態の構成に加えて、操作キーが操作された場合だけでなく、操作を行っているオペレータの動作が、予め登録されている特定の動作に合致するか否かを判定して、操作記録情報を生成するよう構成してもよい。例えば、デジタルカメラ２３が定常的に動作しており、半自動式組合せ秤１０において、操作設定表示部２１ｂ以外の特定の部位に触れるような動作をオペレータが行った場合に、当該オペレータをデジタルカメラ２３が撮像して操作者画像として生成し、操作記録生成部２４ｂが操作記録情報を生成するよう構成してもよい。
【０１４０】
あるいは、本実施の形態の構成に加えて、オペレータが操作設定表示部２１ｂで操作を行っている間、一定の時間間隔でデジタルカメラ２３によりオペレータを撮像して操作者画像を生成するよう構成してもよい。あるいは、半自動式組合せ秤１０を起動するときに、例えば、所定の鍵を鍵穴に差し込んで回すことで起動開始できる構成であれば、本実施の形態の構成に加えて、起動時に操作者画像を生成するように構成してもよい。
【０１４１】
（実施の形態３）
前記実施の形態２では、特定の操作が行われたときにのみ、操作記録情報を生成して操作ログとして蓄積する構成であったが、本実施の形態では、特定の操作を行う前にオペレータ（操作者）にパスワードを入力させ、このパスワードの入力を、操作記録情報の生成のタイミングに利用する構成となっている。この構成について、図１１および図１２を参照して説明する。
【０１４２】
［パスワード入力画面の構成］
本実施の形態に係る半自動式組合せ秤１０の構成は、前記実施の形態２で説明した、設定変更判定部２４ｄを含む操作設定表示部２１ｂを備えている構成であるので、制御系統等の具体的な説明は省略する。ここで本実施の形態では、操作設定表示部２１ｂが運転操作画面２２０ａ（図５参照）を表示している状態で、特定の操作キーを操作したときに、図１１に示すように、パスワード入力画面２２８が表示されるよう構成されている。
【０１４３】
具体的には、例えば、運転操作画面２２０ａが表示されている状態で、前記実施の形態２で説明したアクセスレベル表示・切替キー２２５ａを操作する。この操作キーを操作するということは、前記アクセスレベルを変更することになるため、図１１に示すように、運転操作画面２２０ａの上に重なってパスワード入力画面２２８が表示される。
【０１４４】
パスワード入力画面２２８の具体的な構成は特に限定されない。図１１に示す例であれば、操作キーとして、いわゆる「テンキー」に相当するパスワード入力キー群２２８ａが下側に表示され、上側には、入力されたパスワードを「＊」（アスタリスク）で表示するパスワード入力確認枠２２８ｂが表示され、さらにその上側には、「パスワードを入力してください」というメッセージが表示されている構成となっている。この構成では、パスワードの入力に用いられる文字は、基本的に０〜９の数字と一部の数学記号だけとなるが、例えば、アルファベットおよび各種記号を入力できるように構成することもできる。
【０１４５】
［操作ログの生成の制御］
次に、本実施の形態における操作ログの生成の制御について説明する。図１２に示すように、まず、設定変更判定部２４ｄは、各種操作キーのうち、パスワード入力画面２２８が表示される特定の操作キーがオペレータにより操作されたか否かを判定する（ステップＳ４０１）。特定の操作キーが操作されていない間（ステップＳ４０１でＮＯ）は、この判定を繰り返すが、操作されれば、設定変更判定部２４ｄから設定変更操作が行われたという判定結果が操作設定表示制御部２４ａに入力されるので（図９参照）、操作設定表示制御部２４ａは、所定のパスワードが入力されたか否かを判定する（ステップＳ４０２）。
【０１４６】
ここで、入力されるパスワードは、それぞれのオペレータに個別に割り当てられたものであってもよいし、特定のグループに属するオペレータ、あるいは、管理者権限を有する複数のオペレータに共通するパスワードが割り当てられてもよいし、複数の半自動式組合せ秤１０が用いられる場合には、それぞれの半自動式組合せ秤１０に割り当てられたパスワードであってもよい。本実施の形態では、オペレータ個人に割り当てられたパスワードを例に挙げて制御を説明する。この場合、当該パスワードは、各オペレータを特定する「識別番号」として用いることができる。
【０１４７】
所定のパスワードが入力されれば（ステップＳ４０２でＹＥＳ）、操作設定表示制御部２４ａは、操作記録生成部２４ｂに対して、パスワードを表示させることとなった特定の操作キー（例えば、アクセスレベル表示・切替キー２２５ａ）の種類を、操作の種類情報として、タッチパネル部２２のタッチ入力部２２２から取得させるとともに、暦情報生成部２４ｃで生成される暦情報を取得させる（ステップＳ４０３）。
【０１４８】
パスワードが入力されれば、所定の設定画面が表示される（本実施の形態では、アクセスレベルを変更する設定画面）ので、操作設定表示制御部２４ａは、表示された設定画面で変更可能な条件の設定値が変更されたか否かを判定する（ステップＳ４０４）。設定値が変更されれば（ステップＳ４０４でＹＥＳ）、操作設定表示制御部２４ａは、設定値の変更と同時にデジタルカメラ２３を動作させ、設定値を変更したオペレータを撮像し、操作者画像を生成させる（ステップＳ４０５）。加えて、操作設定表示制御部２４ａは、Ｉ／Ｏ回路２６を介して、秤制御部４１に対して秤記憶部４２に記憶されている諸条件の設定値を読み出させ、これを取得して条件変更情報を生成する（ステップＳ４０６）。
【０１４９】
そして、操作記録生成部２４ｂでは、上記条件変更情報と入力されたパスワードとを取得し、当該条件変更情報、パスワード、操作者画像および暦情報を操作の種類情報に関連付けて、操作記録情報を生成する（ステップＳ４０７）。操作設定表示制御部２４ａは、生成した操作記録情報を操作設定表示記憶部２５の操作ログ記憶領域２５ａに記憶させる（ステップＳ４０７）。１回の操作記録情報を生成する制御はこれで終了するが、操作キーが操作される毎にこの制御が繰り返され、操作ログ記憶領域２５ａに記憶されて操作記録情報が蓄積されることで操作ログが生成する。
【０１５０】
一方、パスワード入力画面２２８が表示されたにも関わらず、パスワードが入力されずにパスワード入力画面２２８が閉じられれば（ステップＳ４０２でＮＯ）、操作記録情報を生成する必要がないため、この制御を終了する。
【０１５１】
また、表示された所定の設定画面で条件の設定値の変更が行われず、当該設定画面が閉じられれば（ステップＳ４０４でＮＯ）、操作設定表示制御部２４ａはデジタルカメラ２３を動作させない。その代わりに、操作記録生成部２４ｂでは、入力されたパスワードを取得し、当該パスワードおよび暦情報を操作の種類情報に関連付けて、操作記録情報を生成するので（ステップＳ４０８）、操作設定表示制御部２４ａは、生成した操作記録情報を操作設定表示記憶部２５の操作ログ記憶領域２５ａに記憶させ（ステップＳ４０７）、この制御を終了する。
【０１５２】
上記の制御構成では、パスワードが入力されない場合（ステップＳ４０２でＮＯ）には、操作記録情報を生成する必要がないと判断して制御を終了するが、パスワードが入力されれば（ステップＳ４０２でＹＥＳ）、その後、特定の条件の設定値が変更されなくても操作記録情報を生成して操作ログとして記憶する。
【０１５３】
パスワード入力画面２２８が表示されるだけであれば、操作の誤りによる場合がありうるので、操作記録情報を生成する必要性はないが、オペレータがパスワードをわざわざ入力するということは、意図的な操作であると判断される。したがって、パスワードの入力は、半自動式組合せ秤１０に何らかの影響が生じる可能性がある操作であると判断して、操作記録情報を生成する。
【０１５４】
また、条件の設定値が変更されれば（ステップＳ４０４でＹＥＳ）、前記実施の形態２で説明したように、操作者画像を取得して操作記録情報を生成する（ステップＳ４０７）が、条件の設定値が変更されなければ、操作者画像を取得せずに操作記録情報を生成する（ステップＳ４０８）。この構成では、設定値が変更された結果、半自動式組合せ秤１０に不具合が生じれば、当該不具合の解消のために、設定値を変更したオペレータを確実に特定するために操作者画像を生成することが好ましいが、設定値が変更されなければ、パスワードでオペレータを特定することが可能であるため、操作者画像を生成せずに操作記録情報を生成する。これにより、操作ログとして蓄積されるデータ量の低減を図ることができ、また不要な画像が表示されないので、操作ログ全体のチェックを容易かつ簡素化することができる。
【０１５５】
［変形例］
ここで、図１１に示すパスワード入力画面２２８の構成では、パスワード入力キー群２２８ａには、消去キーやエンターキーが含まれている。そこで、例えば、パスワードが入力されてエンターキーが操作された時点で、操作記録情報を生成するよう構成してもよいし、諸条件の設定値が変更されない場合でも、エンターキーが操作された時点で、デジタルカメラ２３を動作させて操作者情報を生成してもよい。
【０１５６】
また、パスワード入力画面２２８が表示されている状態で、消去キーが所定回数以上操作された場合、あるいは、入力されたパスワードが不適切であった回数が所定回数以上であった場合には、アクセス権限のないオペレータが設定変更操作を行おうとしていると判断して、デジタルカメラ２３を動作させるよう構成することもできる。
【０１５７】
なお、本実施の形態では、操作設定表示部２１ｂのタッチパネル部２２からパスワードを入力する構成となっているが、本発明はこれに限定されず、例えば、外付けのテンキーまたはキーボード等の入力器を操作設定表示部２１ｂに取り付け、当該入力器からパスワードを入力する構成であってもよい。すなわち、パスワード等の文字情報を入力する場合には、少なくとも文字情報を入力可能とする文字入力器が設けられればよい。
【０１５８】
また、入力される文字情報は、数字、アルファベット、各種記号の羅列からなるパスワードに特定されず、例えば、オペレータの氏名を入力するように構成されてもよい。この場合、漢字入力であってもよいし、平仮名またはカタカナのいずれの入力であってもよい。
【０１５９】
さらに、パスワード等の文字情報で、オペレータの特定が十分可能な場合には、デジタルカメラ２３を備えない構成としてもよい。また、前記実施の形態１で説明したように、デジタルカメラ２３が外付けのウェブカメラであれば、半自動式組合せ秤１０の使用状況に応じて、これを取り外し、代わりに、テンキーまたはキーボード等の文字入力器を取り付けてもよい。
【０１６０】
なお、本実施の形態のように、デジタルカメラ２３で生成される操作者画像とパスワード等の文字情報とを組み合わせて操作者情報とすれば、操作者情報そのものの充実化を図ることができるので、例えば、パスワードを基準として操作ログを検索することで、特定条件の操作記録情報を抽出しやすくすることもできる。
【０１６１】
さらには、具体的な文字を入力する代わりに、バーコード等の画像型識別子を専用の読取器で読み取らせて、パスワード入力の代わりとしてもよい。この場合、操作設定表示部２１ｂに公知のバーコード読取装置を外付けで取り付ければよく、操作ログを生成する制御そのものは、本実施の形態で説明した図１２に示す制御と同様となる。
【０１６２】
（実施の形態４）
前記実施の形態１から３においては、生産ライン構成装置として半自動式組合せ秤１０を具体的に例示して本発明を説明したが、本発明はこれに限定されず公知の他の生産ライン構成装置にも有効に用いることができる。この点について、図１３を参照して説明する。
【０１６３】
例えば、生産ラインとして、半自動式組合せ秤１０を含む計量包装ラインを例に挙げると、図１３に示すように、半自動式組合せ秤１０、包装機１０１、重量選別機１０２Ａ、金属検出機１０３、Ｘ線異物検出装置１０４、ケースパッカー（箱詰め装置）１０５、および重量選別機１０２Ｂという、７種類の各生産ライン構成装置から構成される生産ラインを挙げることができる。半自動式組合せ秤１０は、組合せ計量処理を行う処理部を備えているが、包装機１０１は、計量された被計量物を包装する包装処理を行う処理部を備え、重量選別機１０２Ａおよび１０２Ｂは、包装された被計量物を重量別に選別する選別処理を行う処理部を備え、金属検出機１０３およびＸ線異物検出装置１０４は、包装された被計量物を検査する検査処理を行う処理部を備え、ケースパッカー１０５は、包装された被計量物を箱詰めする箱詰処理を行う処理部を備えていることになる。
【０１６４】
半自動式組合せ秤１０に対しては、オペレータの手動で、例えば食肉等の被計量物が供給されるので、半自動式組合せ秤１０は所定の組合せ計量を行い、包装機１０１へ排出する。包装機１０１では、組合せ計量され、所定の重量範囲内にある被計量物を包装する。包装物は、図示されない搬送コンベヤによって重量選別機１０２Ａに搬送され、重量選別機１０２Ａでは、所定の重量範囲から外れる包装物（過量品または軽量品）を選別して振り分け、適正な重量範囲にある包装物（良品）のみを選別する。選別された良品の包装物は、搬送コンベヤで金属検出機１０３およびＸ線異物検出装置１０４に搬送され、これら生産ライン構成装置によって、包装物内に金属その他の異物が混入していないか検査される。異物の混入が無い包装物（良品）は、搬送コンベヤによりケースパッカー１０に搬送され、段ボール製の梱包箱に所定数ずつ箱詰めされる。その後、箱詰めされた梱包品が重量選別機１０２Ｂに搬送され、適正な重量範囲にあるか否かが選別され、適正な重量範囲にある梱包品のみが出荷される。
【０１６５】
前記実施の形態１から３で説明した、操作ログを生成し表示する構成は、図１３に示すいずれの生産ライン構成装置にも好適に用いることができる。
【０１６６】
ここで、本実施の形態では、半自動式組合せ秤１０を用いているため、被計量物は手動で供給しているが、例えば、公知の全自動式組合せ秤を用いれば、当該全自動式組合せ秤に被計量物を供給する供給装置が生産ラインに含まれる。この供給装置は、被計量物を供給する供給処理を行う処理部を備えていることになる。また、図１３に示す例では、半自動式組合せ秤１０を含む構成となっているが、計量包装ラインで用いられる計量装置は、これに限定されず、組合せ計量以外の計量処理を行う計量部を備える計量装置であってもよい。さらに、いうまでもないが、本発明で適用可能な生産ラインは、本実施の形態で例示する計量包装ラインに限定されず、公知の各種生産ラインを構成する生産ライン構成装置に、本発明を好適に用いることができる。
【０１６７】
なお、本発明は上記の実施形態の記載に限定されるものではなく、特許請求の範囲に示した範囲内で種々の変更が可能であり、異なる実施形態や複数の変形例にそれぞれ開示された技術的手段を適宜組み合わせて得られる実施形態についても本発明の技術的範囲に含まれる。
【産業上の利用可能性】
【０１６８】
本発明は、例えば、計量包装ラインに代表される、製品の大量生産に用いられる生産ラインを構成する生産ライン構成装置の分野に好適に用いることができる。
【符号の説明】
【０１６９】
２１ａ  操作設定表示部（操作部、表示器、文字入力器）
２１ｂ  操作設定表示部（操作部、表示器、文字入力器）
２３    デジタルカメラ（操作者情報生成部、撮像部）
２４ａ  操作設定表示制御部（制御部）
２４ｂ  操作記録生成部
２４ｃ  暦情報生成部
２４ｄ  設定変更判定部
２５    操作設定表示記憶部
２５ａ  操作ログ記憶領域（操作ログ記憶部）
２２８    パスワード入力画面（操作者情報生成部）
【図１】
2011090446.tif 000003
【図２】
2011090446.tif 000004
【図３】
2011090446.tif 000005
【図４】
2011090446.tif 000006
【図５】
2011090446.tif 000007
【図６】
2011090446.tif 000008
【図７】
2011090446.tif 000009
【図８】
2011090446.tif 000010
【図９】
2011090446.tif 000011
【図１０】
2011090446.tif 000012
【図１１】
2011090446.tif 000013
【図１２】
2011090446.tif 000014
【図１３】
2011090446.tif 000015